(57)【特許請求の範囲】
【請求項１】
転写紙の両面に画像形成処理を可能とした画像形成手段と、複数種類の転写紙がそれぞれ収納可能とした複数の転写紙収納手段と、該複数の転写紙収納手段を指定する指定手段と、前記画像形成手段による画像形成処理を片面印刷か両面印刷かをモード指定する印刷モード指定手段と、前記複数の転写紙収納手段に収納されている転写紙の種類が両面白紙の普通紙か片面白紙の裏紙かを指定若しくは識別する転写紙種類指定／識別手段と、前記印刷モード指定手段が片面印刷モードを指定している際に自動で両面印刷に切り換える自動両面モードの有効・無効を選択する自動印刷モード選択手段と、前記印刷モード指定手段が片面印刷モードを指定し且つ前記指定手段が普通紙を収納した前記転写紙収納手段を指定していた際に、前記自動印刷モード選択手段が有効な場合には普通紙を転写紙とした両面印刷を最優先で実行し、前記自動印刷モード選択手段が無効な場合には普通紙を転写紙とした片面印刷を優先して実行するよう、優先付けして処理する制御手段と、を備えていることを特徴とする画像形成装置。
【請求項２】
前記制御手段は、前記転写紙収納手段に普通紙が収納されておらず、前記自動印刷モード選択手段が無効な場合には裏紙を転写紙とした片面印刷を実行することを特徴とする請求項１に記載の画像形成装置。
【請求項３】
前記自動印刷モード選択手段は、前記印刷モード指定手段が両面印刷モードを指定している際に自動で片面印刷に切り換える自動片面モードの有効・無効を選択し、前記制御手段は、前記印刷モード指定手段が両面印刷モードを指定しているにも拘らず前記指定手段が裏紙を収納した前記転写紙収納手段を指定していた際に、前記自動印刷モード選択手段が有効な場合には両面印刷モードを無効として裏紙を転写紙とした片面印刷を最優先して実行し、前記自動印刷モード選択手段が無効な場合には両面印刷モードを有効として普通紙を転写紙とした両面印刷を優先して実行するよう、優先付けして処理することを特徴とする請求項１に記載の画像形成装置。
【請求項４】
前記制御手段は、指定した前記転写紙収納手段に裏紙が収納されておらず、他の前記転写紙収納手段に裏紙が収納され且つ前記自動印刷モード選択手段が有効な場合には裏紙を転写紙とした片面印刷を実行することを特徴とする請求項３に記載の画像形成装置。
【請求項５】
前記制御手段は、前記指定手段が指定した前記転写紙収納手段に転写紙が収納されているか否かを確認し、前記転写紙収納手段に転写紙が収納されていた場合に前記自動両面モード又は前記自動片面モードの有効・無効を確認することを特徴とする請求項１乃至請求項４の何れかに記載の画像形成装置。
【発明の詳細な説明】
【技術分野】
【０００１】
本発明は、転写紙の両面に画像形成処理を可能とすると共に、複数種類の転写紙をそれぞれ収納した複数の転写紙収納手段を指定したうえで画像形成処理を実行することができる画像形成装置に関する。
【背景技術】
【０００２】
従来から、プリンタや複写機、或いはこれらを含めた画像形成処理を可能とした複合機等の画像形成装置にあっては、転写紙の両面に画像形成処理（以下、単に「印刷」と称する）を行うことができるものが周知である。
【０００３】
また、このような画像形成装置では、複数種類の転写紙がそれぞれ収納可能な転写紙収納手段として複数の給紙カセット（手差トレイ等を含む）を搭載したものも周知である。
【０００４】
さらに、このような画像形成装置を利用するには、画像形成装置本体に通信回線接続されたパーソナルコンピュータから出力された画像データを含む印刷データに基づいて印刷を実行するプリンタ機能を利用する場合にはパーソナルコンピュータのオペレータ操作によって、また、画像形成装置本体に原稿をセットして印刷を実行する複写機能を利用する場合には画像形成装置本体に設けられたパネルスイッチ方式の表示部の操作によって、転写紙収納手段を必要に応じてマニュアル指定し、その指定された転写紙収納手段に収納された転写紙に印刷を実行することができる。
【０００５】
一方、近年の省エネルギー化やエコロジー化に伴い、転写紙の無駄遣いを防止するために、両面白紙の普通紙を用いた両面印刷、或いは、以前に片面印刷を行った後に不要となった片面白紙の裏紙を用いた片面印刷、を実行することが推奨されている。
【０００６】
この際、例えば、上述したプリンタ機能を利用した印刷では、遠隔操作によって転写紙収納手段を指定することとなる。
【０００７】
これにより、何れの転写紙収納手段に普通紙と裏紙とが収納されているかをその場で確認できないまま、裏紙が収納されている転写紙収納手段を指定して両面印刷を実行してしまうと、転写紙の裏面に元の画像と新たな画像とが重なってしまい、かえって資源の無駄が発生するといった問題が生じていた。
【０００８】
そこで、両面印刷モード指定の際に裏紙が収納されている転写紙収納手段を指定した際には、『印刷をキャンセル』、『片面で印刷』、『別のカセット（転写紙収納手段）で印刷（両面）』する、といった複数の動作を、画像形成処理の直前に選択することができる技術が知られている（例えば、特許文献１参照）。
【０００９】
また、両面印刷モードを指定した際には、普通紙があれば普通紙に両面印刷を実行し、普通紙がなければ裏紙に片面印刷を実行すると共に、片面印刷モードを指定した際には、裏紙があれば裏紙に片面印刷を実行し、裏紙がなければ普通紙に両面印刷するといった、転写紙の種類と印刷モードとの整合性を図る技術が知られている（例えば、特許文献２，３参照）。
【００１０】
尚、給紙カセットに収納された転写紙が普通紙か裏紙かを自動的に検出することができると共に、普通紙・裏紙のどちらの転写紙が給紙カセットに収納されているのかをユーザ指定できるようにし、転写紙の種類を自動で検出した検出結果と給紙カセットに収納されている転写紙種類の指定とが異なっていた場合には、エラー報知することができる技術も知られている（例えば、特許文献４参照）。
【特許文献１】特開２００３−０６３１１９号公報
【特許文献２】特開２００５−０４９５８４号公報
【特許文献３】特開２００５−００４２９９号公報
【特許文献４】特開２００６−１３７５９３号公報
【発明の開示】
【発明が解決しようとする課題】
【００１１】
ところが、上記の如く構成された画像形成装置にあっては、例えば、特許文献１に開示の技術では、片面印刷モードを指定した際、裏紙に片面印刷を行っても良いにも拘らず、不測に普通紙に片面印刷を実行してしまうという可能性があり、省エネ化・エコ化対策にならないという問題が生じていた。
【００１２】
また、特許文献２，３に開示の技術は、転写紙の種類と印刷モードとの整合性を図るに際し、転写紙の種類を指定することはできるものの、給紙カセットを指定することはできず、その給紙カセットの指定は転写紙種類の指定に連動して画像形成装置本体が自動で行うものであった。
【００１３】
従って、例えば、契約書等の外部文書を両面印刷したい場合に、給紙カセット内に普通紙が収納されていないと、不測に裏紙に片面印刷を実行してしまう可能性があり、省エネ化・エコ化対策にならない場合が発生してしまうという問題が生じていた。
【００１４】
尚、特許文献４に開示の技術は、給紙カセットに収納した転写紙の種類（普通紙・裏紙）の検出と種類の指定とが相互に一致しているか否かを判別するもので、印刷モードの指定と給紙カセットの指定との相互の一致を問題にしているものではない。
【００１５】
このような不測な印刷を回避するため、給紙カセットを指定したうえで両面印刷モードか片面印刷モードかの指定を行うことにより、汎用性を向上し得て、省エネ化・エコ化対策にも充分貢献し得る画像形成装置を提供することが考えられる。
【００１６】
しかしながら、単に給紙カセットを指定したのでは、例えば、両面印刷モードを指定したにも拘らず、指定した給紙カセットに収納された転写紙が裏紙であった場合、結果的には省エネ化・エコ化対策にはなら無いという新たな問題が発生してしまう。
【００１７】
そこで、本発明は、上記事情を考慮し、汎用性を向上し得て、しかも省エネルギー化・エコロジー化対策に充分貢献し得ることができる画像形成装置を提供することを目的とする。
【課題を解決するための手段】
【００１８】
本発明の画像形成装置は、転写紙の両面に画像形成処理を可能とした画像形成手段と、複数種類の転写紙をそれぞれ収納可能とした複数の転写紙収納手段と、該複数の転写紙収納手段を指定する指定手段と、前記画像形成手段による画像形成処理を片面印刷か両面印刷かをモード指定する印刷モード指定手段と、前記複数の転写紙収納手段に収納されている転写紙の種類が両面白紙の普通紙か片面白紙の裏紙かを指定若しくは識別する転写紙種類指定／識別手段と、前記印刷モード指定手段が両面印刷モードを指定している際に自動で片面印刷に切り換える自動片面モードの有効・無効を選択する自動印刷モード選択手段と、前記印刷モード指定手段が両面印刷モードを指定しているにも拘らず前記指定手段が裏紙を収納した前記転写紙収納手段を指定していた際に、前記自動印刷モード選択手段が有効な場合には両面印刷モードを無効として裏紙を転写紙とした片面印刷を最優先して実行し、前記自動印刷モード選択手段が無効な場合には両面印刷モードを有効として普通紙を転写紙とした両面印刷を優先して実行するよう、優先付けして処理する制御手段と、を備えていることを特徴とする。
【００１９】
この際、前記制御手段は、指定した前記転写紙収納手段に裏紙が収納されておらず、他の前記転写紙収納手段に裏紙が収納され且つ前記自動印刷モード選択手段が有効な場合には裏紙を転写紙とした片面印刷を実行するのが好ましい。
【００２０】
また、本発明の画像形成装置は、転写紙の両面に画像形成処理を可能とした画像形成手段と、複数種類の転写紙がそれぞれ収納可能とした複数の転写紙収納手段と、該複数の転写紙収納手段を指定する指定手段と、前記画像形成手段による画像形成処理を片面印刷か両面印刷かをモード指定する印刷モード指定手段と、前記複数の転写紙収納手段に収納されている転写紙の種類が両面白紙の普通紙か片面白紙の裏紙かを指定若しくは識別する転写紙種類指定／識別手段と、前記印刷モード指定手段が片面印刷モードを指定している際に自動で両面印刷に切り換える自動両面モードの有効・無効を選択する自動印刷モード選択手段と、前記印刷モード指定手段が片面印刷モードを指定し且つ前記指定手段が普通紙を収納した前記転写紙収納手段を指定していた際に、前記自動印刷モード選択手段が有効な場合には普通紙を転写紙とした両面印刷を最優先で実行し、前記自動印刷モード選択手段が無効な場合には普通紙を転写紙とした片面印刷を優先で実行するよう、優先付けして処理する制御手段と、を備えていることを特徴とする。
【００２１】
この際、前記制御手段は、前記転写紙収納手段に普通紙が収納されておらず、前記自動印刷モード選択手段が無効な場合には裏紙を転写紙とした片面印刷を実行するのが好ましい。
【００２２】
また、前記制御手段は、前記指定手段が指定した前記転写紙収納手段に転写紙が収納されているか否かを確認し、前記転写紙収納手段に転写紙が収納されていた場合に前記自動両面モード又は前記自動片面モードの有効・無効を確認するのが好ましい。
【発明の効果】
【００２３】
本発明の画像形成装置は、汎用性を向上し得て、しかも省エネルギー化・エコロジー化対策に充分貢献し得ることができる。
【発明を実施するための最良の形態】
【００２４】
次に、本発明の一実施形態に係る画像形成装置を複合機に適用し、図面を参照して説明する。
【００２５】
図１は本発明の一実施形態に係る画像形成装置の説明図、図２は本発明の一実施形態に係る画像形成装置の要部のブロック図、図３は本発明の一実施形態に係る画像形成装置の制御例１のフロー図、図４は本発明の一実施形態に係る画像形成装置の制御例２のフロー図である。
【００２６】
（複合機の全体構成）
図１に示すように、本発明の一実施形態に係る画像形成装置としての複合機１は、装置本体２の前面から引き出し可能な複数段の給紙カセット３，４，５と、装置本体２の一方の側面に開閉可能に設けられた手差トレイ６と、複写機・ファクシミリ・スキャナの各種機能として原稿を読み取る際に使用する自動原稿送り装置（ＡＤＦ）７と、表示画面８を有すると共に各種機能等の設定・選択操作を行う操作部９とを備えている。
【００２７】
尚、複合機１の形状や構成・機能等は図示例のものに限定されるものではない。また、例えば、ソーター等のオプション機器等の設置を妨げるものでもない。
【００２８】
（複合機の内部構成）
装置本体２は、その内部に、給紙カセット３，４，５又は手差しトレイ６に収納された転写紙（図示せず）を取り出して装置本体２の他方の側面に配置された排紙トレイ１０に向けて搬送する搬送経路１１と、搬送経路１１のシート搬送方向上流側に配置されて転写紙を検出するレジストセンサ１２と、レジストセンサ１２よりも搬送経路１１のシート搬送方向下流側に配置されたレジストローラ対１３と、レジストセンサ１２よりも搬送経路１１のシート搬送方向下流側に配置された画像形成部１４と、画像形成部１４によって転写紙の表面に転写されたトナー像を転写紙の表面に定着させる定着部１５と、定着部１５よりも搬送経路１１のシート搬送方向下流側に配置された分岐路１６と、分岐路１６に導かれた転写紙をスイッチバック経路１７を経由して表裏反転した状態でレジストセンサ１２よりもシート搬送方向上流側の搬送経路１１に戻す反転経路１８と、ＡＤＦ７にセットされた原稿が複数である場合に片面印刷後の転写紙の排出面を原稿順序に合わせた状態で排紙トレイ１０に排出する反転排出路１９とを備えている。
【００２９】
レジストセンサ１２は、転写紙を検出することにより転写紙の先端位置と感光体ドラム２０の表面に形成されたトナー像位置との同期を計るもので、このレジストセンサ１２が転写紙の先端を検出してから所定時間経過後にレジストローラ対１３と感光体ドラム２０の回転駆動を開始させ、レジストセンサ１２が転写紙の後端を検出してから所定時間経過後にレジストローラ対１３と感光体ドラム２０の回転駆動を停止する。また、レジストセンサ１２は、給紙カセット３，４，５から搬送経路１１へと送り出された転写紙のシート搬送方向に沿うシート長を検出するもので、転写紙の先端を検出してから後端を検出するまでの時間によって転写紙の長さ（シート搬送方向に沿う方向）を検出する。
【００３０】
レジストローラ対１３は、モータ等の駆動源（図示せず）に連繋されている。そして、このレジストローラ対１３は、静止状態において、転写紙の先端がニップされたときに瞬間的に転写紙の搬送を停止することで転写紙の斜め送りを矯正する。
【００３１】
画像形成部１４は、感光体ドラム２０と、感光体ドラム２０の周囲に配置された帯電デバイス２１、露光デバイス２２、現像デバイス２３、転写デバイス２４、クリーニングデバイス２５、除電デバイス２６等を備えている。尚、これらの各構成部品等は本発明の画像形成手段を構成している。
【００３２】
これにより、画像形成部１４は、感光体ドラム２０が図示しない駆動手段によって所定のプロセススピード（周速度）で回転駆動され、その表面が帯電デバイス２１によって所定の極性・電位に均一に帯電される。
【００３３】
帯電後の感光体ドラム２０は、その表面に露光デバイス２２によって静電潜像が形成される。ここで、露光デバイス２２は、例えば、複写機機能によりＡＤＦ７を利用してスキャナー部で読み取った印刷データ、ファクシミリ機能により電話回線を通じて受信した印刷データ、プリンタ機能によりネットワーク等の通信回線によって接続されたパーソナルコンピュータ等から出力された印刷データに基づいて、感光体ドラム２０の表面にレーザー光を照射し、感光体ドラム２０の表面のレーザー光照射部分の電荷を除去して画像情報に応じた静電潜像を形成する。
【００３４】
そして、感光体ドラム２０の表面に形成された静電潜像は、現像デバイス２３によって電荷を有するトナーが静電的に付着されてトナー像として現像される。さらに、そのトナー像は、転写デバイス２４によって転写紙に転写像として転写される。
【００３５】
この際、転写紙にトナー像を転写した感光体ドラム２０は、クリーニングデバイス２５によって残留トナー等が除去されると共に次の画像形成時の帯電のために除電デバイス２６によって除電される。
【００３６】
ところで、給紙カセット３，４，５と手差トレイ６とは、本発明の転写紙収納手段を構成しており、公知のセンサーやスイッチ等によって収納した転写紙サイズを検出することができる。また、給紙カセット３，４，５と手差トレイ６に収納した転写紙は、その種類として、両面白紙の普通紙か片面白紙の裏紙かを操作部９（表示画面８のパネルスイッチ機能）を利用して指定することができる。この際、公知のセンサー等を用いて、両面白紙の普通紙か片面白紙の裏紙かを自動で識別しても良いし、このセンサーの識別結果と操作部９で指定した転写紙の種類とが同じであるか否かを判別し、異なっている場合にはエラー報知することも可能である。
【００３７】
（印刷モード指定・自動印刷モード指定）
一方、操作部９によって指定（又は自動検出）された両面白紙の普通紙か片面白紙の裏紙かの転写紙情報は、給紙カセット３，４，５及び手差トレイ６と対応付けした状態で、図２に示すように、制御回路部（制御手段）２７を介してハードディスクドライブ（ＨＤＤ）２８に格納される。また、操作部９によって指定された画像形成処理に関する設定情報（例えば、印刷部数・拡大／縮小率・印刷濃度等の設定情報）はＲＡＭ２９に一時的に格納される。さらに、操作部９は、例えば、複写機能を利用する場合には給紙カセット３，４，５又は手差トレイ６を指定する指定手段としての機能を具備している。また、操作部９は、例えば、複写機能を利用する場合には片面印刷か両面印刷かをモード指定する印刷モード指定手段としての機能と、両面印刷モードを指定した場合に自動片面モードを有効（ＯＮ）・無効（ＯＦＦ）とするか、片面印刷モードを指定した場合に自動両面モードを有効（ＯＮ）・無効（ＯＦＦ）とするかの自動印刷モード選択手段としての機能とを具備している。
【００３８】
尚、これら指定手段、印刷モード指定手段、自動印刷モード選択手段は、プリンタ機能を利用する場合にはパーソナルコンピュータ（プリンタドライバ）が具備する。
【００３９】
制御回路部２７は、ＲＯＭ３０に格納された画像形成処理全般に係わる各種制御プログラムに基づいて複合機１を制御する。また、ＲＯＭ３０には、本発明に係わる画像形成装置に関する制御プログラムも格納されている。これにより、ＲＯＭ３０と制御回路部２７とは、本発明に係わる画像形成処理（自動印刷モード指定）を実行するマイクロコンピュータを構成している。
【００４０】
尚、ＨＤＤ２８には、例えば、複写機機能によりＡＤＦ７を利用してスキャナー部で読み取った印刷データ、ファクシミリ機能により電話回線を通じて受信した印刷データ、プリンタ機能によりネットワーク等の通信回線によって接続されたパーソナルコンピュータ等から出力された印刷データが、受信部３１及び制御回路部２７を経由して格納され、これらの印刷データに基づいて画像形成部１４で画像形成処理（印刷）が実行される。
【００４１】
この際、制御回路部２７では、複写機能として印刷実行の際には操作部９による印刷モード指定と給紙カセット３，４，５又は手差トレイ６の指定とが関連付けして制御され、プリンタ機能として印刷実行の際には受信部３０で受信した印刷データに含まれる印刷モード指定と給紙カセット３，４，５又は手差トレイ６の指定とが関連付けして制御される。
【００４２】
以下、本発明の自動印刷モード指定に係わる具体的な制御回路部２７による制御例を、図３及び図４のフロー図を参照しつつ説明する。
【００４３】
尚、以下の説明では、プリンタ機能を利用している場合として説明し、例えば、給紙カセット３にＡ４サイズの普通紙、給紙カセット４にＡ４サイズの裏紙、給紙カセット５に他の転写紙サイズの普通紙、手差トレイ６には任意の（後述する）転写紙サイズの転写紙が収納されるものとして説明する。
【００４４】
（両面印刷モードで裏紙カセット指定の場合）
図３のフロー図では、ユーザは両面印刷モードを指定すると共に、裏紙が収納されている給紙カセット４を誤って指定してしまった場合を想定した制御回路部２７の制御ルーチンのフロー図である。
【００４５】
（ステップＳ１）
ステップＳ１では、受信部３１に、両面印刷モードが指定され且つ転写紙として裏紙が収納されている給紙カセット４が指定されている印刷データが受信され、その印刷データに含まれる画像データはＨＤＤ２８に格納され、画像データを除く印刷モード指定等の設定情報に関する印刷データはＲＡＭ２９に一時的に格納されてステップＳ２へと移行する。
【００４６】
（ステップＳ２）
ステップＳ２では、制御回路部２７は、受信部３１で受信した印刷データで指定された給紙カセット、即ち、給紙カセット４に転写紙（裏紙）が収納されているか否かが確認され、給紙カセット４に転写紙が収納されている場合にはステップＳ３へと移行し、給紙カセット４に転写紙が収納されていない場合にはステップＳ５へと移行する。
【００４７】
（ステップＳ３）
ステップＳ３では、制御回路部２７は、受信部３１で受信した印刷データの自動片面印刷モードが有効（ＯＮ）であるか無効（ＯＦＦ）であるかが確認され、自動片面印刷モードがＯＮの場合にはステップＳ４へと移行し、自動片面印刷モードがＯＦＦの場合にはステップＳ５へと移行する。
【００４８】
（ステップＳ４）
ステップＳ４では、制御回路部２７は、自動片面印刷モードがＯＮであるため、指定した給紙カセット４に収納された転写紙（裏紙）をそのまま使用して片面印刷を実行してこのルーチンを終了する。
【００４９】
（ステップＳ５）
ステップＳ５では、制御回路部２７は、印刷データで指定された給紙カセット４以外の給紙カセット３，５又は手差トレイ６に普通紙が収納されているか否かが確認され、普通紙が収納されている場合にはステップＳ６へと移行し、普通紙が収納されていない場合にはステップＳ７へと移行する。
【００５０】
（ステップＳ６）
ステップＳ６では、制御回路部２７は、給紙カセット３に普通紙が収納されていることから、その給紙カセット３に収納された普通紙を転写紙として使用し、両面印刷を実行してこのルーチンを終了する。
【００５１】
（ステップＳ７）
ステップＳ７では、制御回路部２７は、普通紙（Ａ４）が何れの給紙カセット３，４，５及び手差トレイ６に収納されていなかったことから、給紙カセット３，５又は手差トレイ６に裏紙（Ａ４）が収納されているか否かが確認され、例えば、手差トレイ６に裏紙が収納されている場合等では、ステップＳ８へと移行し、給紙カセット３，５及び手差トレイ６に裏紙が収納されていない場合にはステップＳ１０へと移行する。
【００５２】
（ステップＳ８）
ステップＳ８では、制御回路部２７は、受信部３１で受信した印刷データの自動片面印刷モードが有効（ＯＮ）であるか無効（ＯＦＦ）であるかが確認され、自動片面印刷モードがＯＮの場合にはステップＳ９へと移行し、自動片面印刷モードがＯＦＦの場合にはステップＳ１０へと移行する。
【００５３】
（ステップＳ９）
ステップＳ９では、制御回路部２７は、手差トレイ６に収納された裏紙を転写紙として使用し、片面印刷を実行してこのルーチンを終了する。
【００５４】
（ステップＳ１０）
ステップＳ１０では、制御回路部２７は、何れの給紙カセット３，４，５及び手差トレイ６に普通紙（Ａ４）又は裏紙（Ａ４）が収納されていなかった、或いは、裏紙への片面印刷を行わないように指定されているとして、エラーを報知して普通紙（及び裏紙）の補給を要求し、このルーチンを終了する。
【００５５】
（片面印刷モードで普通紙カセット指定の場合）
図４のフロー図では、ユーザは片面印刷モードを指定すると共に、普通紙が収納されている給紙カセット３を指定した場合を想定した制御回路部２７の制御ルーチンのフロー図である。
【００５６】
（ステップＳ１１）
ステップＳ１１では、受信部３１に、片面印刷モードが指定され且つ転写紙として普通紙が収納されている給紙カセット３が指定されている印刷データが受信され、その印刷データに含まれる画像データはＨＤＤ２８に格納され、画像データを除く印刷モード指定等の設定情報に関する印刷データはＲＡＭ２９に一時的に格納されてステップＳ１２へと移行する。
【００５７】
（ステップＳ１２）
ステップＳ１２では、制御回路部２７は、受信部３１で受信した印刷データで指定された給紙カセット、即ち、給紙カセット３に転写紙（普通紙）が収納されているか否かが確認され、給紙カセット３に転写紙が収納されている場合にはステップＳ１３へと移行し、給紙カセット３に転写紙が収納されていない場合にはステップＳ１４へと移行する。
【００５８】
（ステップＳ１３）
ステップＳ１３では、制御回路部２７は、受信部３１で受信した印刷データの自動両面印刷モードが有効（ＯＮ）であるか無効（ＯＦＦ）であるかが確認され、自動両面印刷モードがＯＦＦの場合にはステップＳ１５へと移行し、自動両面印刷モードがＯＮの場合にはステップＳ１６へと移行する。
【００５９】
（ステップＳ１４）
ステップＳ１４では、制御回路部２７は、印刷データで指定された給紙カセット３以外の給紙カセット４，５又は手差トレイ６に普通紙が収納されているか否かが確認され、例えば、手差トレイ６に普通紙（Ａ４）が収納されている場合等では、ステップＳ１３へと移行し、普通紙が収納されていない場合にはステップＳ１７へと移行する。
【００６０】
（ステップＳ１５）
ステップＳ１５では、制御回路部２７は、自動両面印刷モードがＯＦＦであるため、指定した給紙カセット３に収納された転写紙（普通紙）をそのまま使用して片面印刷モードのまま片面印刷を実行してこのルーチンを終了する。
【００６１】
（ステップＳ１６）
ステップＳ１６では、制御回路部２７は、給紙カセット３に普通紙が収納されていることから、その給紙カセット３に収納された普通紙を転写紙として使用し、自動両面印刷モードを有効として両面印刷を実行してこのルーチンを終了する。
【００６２】
（ステップＳ１７）
ステップＳ１７では、制御回路部２７は、普通紙（Ａ４）が何れの給紙カセット４，５及び手差トレイ６に収納されていなかったことから、給紙カセット４，５又は手差トレイ６に裏紙（Ａ４）が収納されているか否かが確認され、例えば、給紙カセット４に裏紙が収納されている場合等では、ステップＳ１８へと移行し、給紙カセット４，５及び手差トレイ６に裏紙が収納されていない場合にはステップＳ２０へと移行する。
【００６３】
（ステップＳ１８）
ステップＳ１８では、制御回路部２７は、受信部３１で受信した印刷データの自動両面印刷モードが有効（ＯＮ）であるか無効（ＯＦＦ）であるかが確認され、自動両面印刷モードがＯＦＦの場合にはステップＳ１９へと移行し、自動両面印刷モードがＯＮの場合にはステップＳ２０へと移行する。
【００６４】
（ステップＳ１９）
ステップＳ１９では、制御回路部２７は、給紙カセット４に収納された裏紙を転写紙として使用し、片面印刷を実行してこのルーチンを終了する。
【００６５】
（ステップＳ２０）
ステップＳ２０では、制御回路部２７は、何れの給紙カセット３，４，５及び手差トレイ６に普通紙（Ａ４）又は裏紙（Ａ４）が収納されていなかった、或いは、裏紙への片面印刷を行わないように指定されているとして、エラーを報知して普通紙（及び裏紙）の補給を要求し、このルーチンを終了する。
【００６６】
このように、本発明の画像形成装置（複合機１）では、給紙カセット３，４，５又は手差トレイ６を指定して両面印刷・片面印刷のモード指定を行うことができると共に、例えば、裏紙使用の両面印刷のような転写紙の種類と印刷モードとの整合性が取れていない場合に誤って印刷を実行してしまうことが無く、しかも、裏紙を用いたくない印刷を実行することを防止したうえで、両面印刷或いは裏紙使用の片面印刷といった省エネルギー化・エコロジー化対策に充分貢献し得ることができる。
【図面の簡単な説明】
【００６７】
【図１】本発明の一実施形態に係る画像形成装置の説明図である。
【図２】本発明の一実施形態に係る画像形成装置の要部のブロック図である。
【図３】本発明の一実施形態に係る画像形成装置の制御例１のフロー図である。
【図４】本発明の一実施形態に係る画像形成装置の制御例２のフロー図である。
【符号の説明】
【００６８】
１…複合機（画像形成装置）
３…給紙カセット（転写紙収納手段）
４…給紙カセット（転写紙収納手段）
５…給紙カセット（転写紙収納手段）
６…手差トレイ（転写紙収納手段）
９…操作部（転写紙種類指定手段／印刷モード指定手段／自動印刷モード選択手段）
１４…画像形成部（画像形成手段）
２７…制御回路（制御手段）
【図１】
0005101992.tif 000002
【図２】
0005101992.tif 000003
【図３】
0005101992.tif 000004
【図４】
0005101992.tif 000005